(57)【要約】【課題】仕切板を取外すことなく大型商品を収納することのできる自動販売機の商品収納コラムを提供する。【解決手段】隣り合う商品通路５０の間を幅方向に仕切る仕切板６０を前後方向に移動自在に構成し、仕切板６０を後方へ移動させることにより隣り合う商品通路５０間を連通するようにしたので、仕切板６０を取外すことなく隣り合う商品通路５０間に亘って商品Ｂを載置することができ、一つの商品通路５０の幅方向に収納可能なスペースよりも全長が大きい商品を収納することができる。【選択図】図７
2005202680.tif 000002
【特許請求の範囲】
【請求項１】
商品収納コラム本体内に互いに幅方向に間隔をおいて配置され、上下一対のスプロケットに巻き掛けられた複数のチェーンと、各チェーンの周方向に互いに間隔をおいて配置された複数の商品保持体と、各チェーンの前後方向一端側に形成された商品通路と、隣り合う商品通路の間を幅方向に仕切る仕切板とを備え、各商品通路内に位置する商品保持体に商品を載置し、商品を載置した商品保持体がチェーンの下端まで下降すると、商品保持体を反転させて商品を商品保持体から落下搬出させるようにした自動販売機の商品収納コラムにおいて、
前記仕切板の少なくとも一部を前後方向に移動自在に形成し、
仕切板の少なくとも一部を前後方向一方に移動させることにより、隣り合う商品通路を互いに幅方向に連通させるように構成した
ことを特徴とする自動販売機の商品収納コラム。
【請求項２】
前記仕切板を、仕切板の前端側を形成する前端側部材と、仕切板の後端側を形成する後端側部材とから構成し、前端側部材及び後端側部材の少なくとも一方を他方に対して前後方向に移動自在に設けた
ことを特徴とする請求項１記載の自動販売機の商品収納コラム。
【請求項３】
前記前端側部材の後端側及び後端側部材の前端側に互いに前後方向に係合する係合部を設けた
ことを特徴とする請求項２記載の自動販売機の商品収納コラム。
【請求項４】
前記係合部を前端側部材の後端側及び後端側部材の前端側をそれぞれ断面コ字状に屈曲することにより形成した
ことを特徴とする請求項３記載の自動販売機の商品収納コラム。
【発明の詳細な説明】
【技術分野】
【０００１】
本発明は、箱入り菓子や紙パック入り飲料等の商品を収納可能な自動販売機の商品収納コラムに関するものである。
【背景技術】
【０００２】
従来、この種の自動販売機の商品収納コラムとしては、商品収納コラム本体内に互いに幅方向に間隔をおいて配置されるとともに、上下一対のスプロケットに巻き掛けられた複数のチェーンと、各チェーンの周方向に互いに間隔をおいて配置された複数の商品保持体と、各チェーンの前後方向一端側に形成された商品通路と、隣り合う商品通路の間を幅方向に仕切る仕切板とを備え、各商品通路内に位置する商品保持体に商品を載置し、商品を載置した商品保持体がチェーンの下端まで下降すると、商品保持体を反転させて商品を商品保持体から落下搬出させるようにしたものが知られている。しかしながら、前記商品収納コラムでは、隣り合う商品通路の間を仕切板によって幅方向に仕切られているために、商品通路の幅方向に収納可能なスペースよりも全長が大きい商品を販売することができないという欠点がある。そこで、仕切板を着脱自在に構成し、仕切板を取外して隣り合う商品通路内の商品保持体に亘って商品を載置するようにして大型の商品を販売するようにしたものが知られている（例えば、特許文献１参照）。
【特許文献１】特開平９−５０５７４号公報
【発明の開示】
【発明が解決しようとする課題】
【０００３】
しかしながら、前記自動販売機の商品収納コラムでは、仕切板を着脱自在に構成しているために、取外した仕切板を別途保管する場所が必要となったり、仕切板を紛失し易いという問題点があった。
【０００４】
本発明は前記問題点に鑑みてなされたものであり、その目的とするところは、仕切板を取外すことなく大型商品を収納することのできる自動販売機の商品収納コラムを提供することにある。
【課題を解決するための手段】
【０００５】
本発明は前記目的を達成するために、商品収納コラム本体内に互いに幅方向に間隔をおいて配置され、上下一対のスプロケットに巻き掛けられた複数のチェーンと、各チェーンの周方向に互いに間隔をおいて配置された複数の商品保持体と、各チェーンの前後方向一端側に形成された商品通路と、隣り合う商品通路の間を幅方向に仕切る仕切板とを備え、各商品通路内に位置する商品保持体に商品を載置し、商品を載置した商品保持体がチェーンの下端まで下降すると、商品保持体を反転させて商品を商品保持体から落下搬出させるようにした自動販売機の商品収納コラムにおいて、前記仕切板の少なくとも一部を前後方向に移動自在に形成し、仕切板の少なくとも一部を前後方向一方に移動させることにより、隣り合う商品通路を互いに幅方向に連通させるように構成している。これにより、仕切板の少なくとも一部を前後方向一方に移動させることにより隣り合う商品通路が互いに連通されることから、仕切板を取外すことなく隣り合う商品通路間に亘って商品が載置される。
【発明の効果】
【０００６】
本発明によれば、仕切板を取外すことなく隣り合う商品通路間に亘って商品を載置することができるので、一つの商品通路の幅方向に収納可能なスペースよりも全長が大きい商品を収納することができる。
【発明を実施するための最良の形態】
【０００７】
図１乃至図７は本発明の第１の実施形態を示すもので、図１は商品収納コラムの斜視図、図２は開閉扉を開放した状態を示す商品収納コラムの斜視図、図３は商品収納コラムの要部側面断面図、図４は商品収納コラム内の要部斜視図、図５は仕切板を収納した状態を示す商品収納コラム内の要部斜視図、図６は商品収納コラムの要部平面断面図、図７は仕切板を収納する動作を示す商品収納コラムの要部平面断面図、図８は仕切板を収納した状態を示す商品収納コラムの要部平面断面図である。
【０００８】
この自動販売機の商品収納コラムは、箱形に形成された商品収納コラム本体１０と、商品収納コラム本体１０内に幅方向に間隔をおいて配置されるとともに、上下一対のスプロケット２０に巻き掛けられた複数のチェーン３０と、各チェーン３０の周方向に互いに間隔をおいて着脱自在に配置された複数の商品保持体４０と、各チェーン３０の前方に形成された商品通路５０と、隣り合う商品通路５０の間を幅方向に仕切る複数の仕切板６０とから構成されている。
【０００９】
商品収納コラム本体１０は、前面及び下面を開口され、その前面開口部を開閉する開閉扉１１が幅方向一端側を回動自在に支持されている。また、商品収納コラム本体１０の上面には左右方向に延びるレール部１２が設けられ、レール部１２によって図示しない自動販売機本体内に商品収納コラム本体１０が吊下げられるようになっている。
【００１０】
各チェーン３０は多数のリンク３１と、各リンク３１同士を回動自在に連結する多数の連結ピン３２とからなり、各連結ピン３２の両端はそれぞれ左右方向へ所定長さだけ延びるように形成されている。また、各チェーン３０は商品収納コラム本体１０内の上端側及び下端側に配置されたスプロケット２０に巻き掛けられ、一方のスプロケット２０をモータ３３によって回動させることによりチェーン３０が回動するようになっている。
【００１１】
各商品保持体４０は、一端側に形成されたチェーン３０の連結ピン３２と係合する幅方向一対の係合部４１によってチェーン３０に取付けられている。また、商品保持体４０の係合部４１の下方には、係合部４１が係合する連結ピン３２の下方に位置する連結ピン３２に当接する当接部４２が形成され、商品保持体４０が商品通路５０内に位置するときに商品載置面が所定の傾斜角度をなすようになっている。
【００１２】
各商品通路５０は、商品収納コラム本体１０の前面側に設けられ、商品収納コラム本体１０内を前後方向に仕切る仕切壁５１と、商品収納コラム本体１０の開閉扉１１との間に形成されている。
【００１３】
各仕切板６０は、上下方向に延びる板状の部材からなり、隣り合う商品通路５０の間に配置されている。また、仕切板６０の上端側にはコ字状に屈曲するレール部６１が形成され、レール部６１を商品収納コラム本体１０内の上端側に設けられたレール受部１３と係合することにより、仕切板６０が前後方向に移動自在に支持されている。このとき、隣り合う仕切壁５１の間には、仕切板６０が前後方向に移動可能な隙間が形成されている。
【００１４】
以上のように構成された商品収納コラムにおいては、各チェーン３０の連結ピン３２に商品保持体４０の係合部４１を係合させることにより、商品保持体４０がチェーン３０に取付けられ、各商品保持体４０は互いに周方向に間隔をおいて配置される。このとき、商品通路５０内に位置する各商品保持体４０は係合部４１の下方に位置する当接部４２がチェーン３０の連結ピン３２に当接するため、商品載置面が斜め上方に向かって傾斜をなすように保持される。
【００１５】
この商品収納コラムでは、図３に示すように、商品通路５０内に位置する各商品保持体４０に商品Ａが載置され、商品Ａを載置した商品保持体４０が下降するようにチェーン３０が回動する。その際、商品Ａを載置した商品保持体４０がチェーン３０の下端まで下降すると、商品保持体４０が反転して商品Ａが商品保持体４０から落下搬出される。チェーン３０の下端で反転した商品保持体４０は、係合部４１のみでチェーン３０の連結ピン３２に吊下げられた状態で支持される。この商品保持体４０は背面側を上昇しチェーン３０の上端まで上昇すると、商品通路５０側へ反転する。その際、商品保持体４０は、斜め上方に向かって傾斜した状態で保持され、商品Ａを載置可能な状態となる。
【００１６】
ここで、商品保持体４０に載置する商品Ｂの全長が商品通路５０のスペースよりも大きい場合には、図７に示すように、隣り合う商品通路５０の間に位置する仕切板６０を後方に移動させることにより、隣り合う商品通路５０間が連通する。更に、商品保持体４０をそれぞれ同じ高さに取付けることにより、図８に示すように、複数の商品保持体４０に亘るように商品Ｂを載置することが可能となる。この状態で、複数の商品保持体４０に亘って商品Ｂを載置した複数のチェーン３０を同時に回動させることにより、前述と同様、商品Ｂが商品保持体４０から落下搬出される。
【００１７】
このように、本実施形態の商品収納コラムによれば、隣り合う商品通路５０の間を幅方向に仕切る仕切板６０を前後方向に移動自在に構成し、仕切板６０を後方へ移動させることにより隣り合う商品通路５０間を連通するようにしたので、仕切板６０を取外すことなく隣り合う商品通路５０間に亘って商品Ｂを載置することができ、一つの商品通路５０の幅方向に収納可能なスペースよりも全長が大きい商品Ｂを収納することができる。
【００１８】
図９乃至図１１は本発明の第２の実施形態を示すもので、図９は商品収納コラムの要部平面断面図、図１０は仕切板を収納した状態を示す商品収納コラムの要部平面断面図、図１１は仕切板の引き出し動作を示す要部平面断面図である。尚、前記第１の実施形態と同等の構成部分には同一の符号を付して示す。
【００１９】
本実施形態の商品収納コラムは、商品通路５０の間を幅方向に仕切る仕切板７０が前端側部材７１及び後端側部材７２とから構成され、前端側部材７１の後端側及び後端側部材７２の前端側をそれぞれ断面コ字状に屈曲することによって、前端側部材７１及び後端側部材７２が互いに係合する係合部７１ａ，７２ａが設けられている。
【００２０】
以上のように構成された商品収納コラムにおいて、商品保持体４０に載置する商品Ｃの全長が商品通路５０のスペースよりも大きい場合には、図９に示すように、隣り合う商品通路５０の間に位置する仕切板７０の前端側部材７１及び後端側部材７２を後方に移動させることにより、複数の商品通路５０間が連通する。更に、商品保持体４０をそれぞれ同じ高さに取付けることによって、図１０に示すように、複数の商品保持体４０に亘るように商品Ｃを載置することが可能となる。この状態で、複数の商品保持体４０に亘って商品Ｃを載置した複数のチェーン３０を同時に回動させることにより、商品Ｃが商品保持体４０から落下搬出される。
【００２１】
また、仕切板７０を収納した状態から再び商品通路５０を仕切る場合には、図１１に示すように、前端側部材７１の前端側を引き出すことにより、係合部７１ａ，７２ａが互いに係合して前端側部材７１と共に後端側部材７２が引き出される。
【００２２】
このように、本実施形態の商品収納コラムによれば、隣り合う商品通路５０の間を幅方向に仕切る仕切板７０を前後方向に移動可能な前端側部材７１及び後端側部材７２から構成し、前端側部材７１及び後端側部材７２をそれぞれ後方へ移動させることにより隣り合う商品通路５０を一体に形成するようにしたので、収納した仕切板７０が商品通路５０内に突出することなく隣り合う商品通路５０を一体に形成することができ、隣り合う商品通路５０のスペースを更に有効に利用することができる。
【００２３】
また、前端側部材７１の後端側及び後端側部材７２の前端側に互いに係合する係合部７１ａ，７２ａを設けたので、前端側部材７１及び後端側部材７２を各係合部７１ａ，７２ａによって連結することができ、例えば仕切板７０が収納された状態から商品通路５０を仕切る際に、前端側部材７１のみを引き出すことにより商品通路５０を仕切ることができるという利点がある。
【００２４】
また、係合部７１ａ，７２ａを断面コ字状に形成したので、前端側部材７１及び後端側部材７２の端部を屈曲させることにより容易に各係合部７１ａ，７２ａを形成することができ、生産性の向上を図ることができる。
【００２５】
尚、前記実施形態では、仕切板７０の前端側部材７１及び後端側部材７２をそれぞれ前後方向に移動自在に設けたものを示したが、後端側部材７２を固定して前端側部材７１のみを前後方向に移動自在に設けるようにしてもよい。
【図面の簡単な説明】
【００２６】
【図１】本発明の第１の実施形態を示す商品収納コラムの斜視図
【図２】開閉扉を開放した状態を示す商品収納コラムの斜視図
【図３】商品収納コラムの要部側面断面図
【図４】商品収納コラム内の要部斜視図
【図５】仕切板を収納した状態を示す商品収納コラム内の要部斜視図
【図６】商品収納コラムの要部平面断面図
【図７】仕切板の動作を示す要部平面断面図
【図８】仕切板を収納した状態を示す要部平面断面図
【図９】本発明の第２の実施形態を示す商品収納コラムの要部平面断面図
【図１０】仕切板を収納した状態を示す要部平面断面図
【図１１】仕切板の引き出し動作を示す要部平面断面図
【符号の説明】
【００２７】
１０…商品収納コラム本体、２０…スプロケット、３０…チェーン、４０…商品保持体、５０…商品通路、６０…仕切板、７０…仕切板、７１…前端側部材、７１ａ…係合部、７２…後端側部材、７２ａ…係合部。
【図１】
2005202680.tif 000003
【図２】
2005202680.tif 000004
【図３】
2005202680.tif 000005
【図４】
2005202680.tif 000006
【図５】
2005202680.tif 000007
【図６】
2005202680.tif 000008
【図７】
2005202680.tif 000009
【図８】
2005202680.tif 000010
【図９】
2005202680.tif 000011
【図１０】
2005202680.tif 000012
【図１１】
2005202680.tif 000013